(57)【要約】      （修正有）【課題】シンプルな構成で色々な遊びが出来るカード玩具を提供する。【解決手段】ｎからｍ（ｍ＞ｎ自然数）までの連続した数字がそれぞれ記載された複数枚のカードの組１、２が２組備えられ、各組の数字の色は統一され、更に各組同士の数字の色は互いに異なる。【選択図】図１
0003223963.tif 000002
【実用新案登録請求の範囲】
【請求項１】
ｎからｍ（ｍ＞ｎ自然数）までの連続した数字がそれぞれ記載された複数枚のカードの組が２組備えられ、各組の数字の色は統一され、更に各組同士の数字の色は互いに異なる、ことを特徴とするカード玩具。
【請求項２】
前記各カードは防水性を有し、水に浮くカードである、請求項１記載のカード玩具。
【請求項３】
前記各カードの外周囲の少なくとも４隅の縁は断面視で、中央部に比べて薄くなっており、指で剥がしやすくなっている、請求項１記載のカード玩具。
【請求項４】
前記各カードの左右両端縁は磁石機能を有する、請求項１記載のカード玩具。
【考案の詳細な説明】
【技術分野】
【０００１】
本考案は、カード玩具に関する。
【背景技術】
【０００２】
従来、複数枚のカードを用いて遊ぶカード玩具が知られている（例えば、特許文献１参照）。
【０００３】
その請求項１には、「透明又は不透明な素材で構成されている背景カードの上に透明な素材で構成されている 複数のカードを重ねて遊ぶカード玩具において、以下の要件を備えることを特徴とするカード玩具。 （イ）上記カードの透明部分にはそれぞれ絵柄が表示され、該絵柄はカードを重ね合わせ たとき、上段のカードの絵柄が下段のカードの絵柄の少なくとも一部を覆い隠し、下段の 絵柄に上段の絵柄が合成されるようになっていること （ロ）上記カードは複数のカードで１つのグループを構成し、各グループから一枚ずつ選択したカードを重ねることにより、所定の絵柄を構成すること （ハ）上記カードの透明部分には上記絵柄に加え、所定の形状のマークが複数表示され、 該マークの少なくとも１つは他のカードとの組み合わせによっては該カードのマークと重 なる場合があること （ニ）上記マークは、上記カードに表示された絵柄と重ならないように該絵柄の周囲に散 在的に配置されており、上記絵柄を使用した着せ替え遊びと、上記マークの数を使用した ゲームと、が同時にできること」とされている。
【先行技術文献】
【特許文献】
【０００４】
【特許文献１】実用新案登録４８２８４８０号
【考案の概要】
【考案が解決しようとする課題】
【０００５】
しかしながら、従来のこの様なカード玩具は、子供が遊ぶ場合など複雑すぎるきらいがあった。
【０００６】
本考案は、上記従来のこのような課題に鑑みて、シンプルな構成で子供が遊び易く、しかも面白いカード玩具を提供することを目的とする。
【課題を解決するための手段】
【０００７】
第１の本考案は、
ｎからｍ（ｍ＞ｎ自然数）までの連続した数字がそれぞれ記載された複数枚のカードの組が２組備えられ、各組の数字の色は統一され、更に各組同士の数字の色は互いに異なる、ことを特徴とするカード玩具である。
【０００８】
第２の本考案は、
前記各カードは防水性を有し、水に浮くカードである、第１の本考案のカード玩具である。
【０００９】
第３の本考案は、
前記各カードの外周囲の少なくとも４隅の縁は断面視で、中央部に比べて薄くなっており、指で剥がしやすくなっている、第１の本考案のカード玩具である。
【００１０】
第４の本考案は、
前記各カードの左右両端縁は磁石機能を有する、第１の本考案のカード玩具である。
【考案の効果】
【００１１】
本考案によれば、シンプルな構成で子供が遊び易く、しかも面白いカード玩具を提供することが出来る。
【図面の簡単な説明】
【００１２】
【図１】本考案にかかる実施の形態のカード玩具の組を示す平面図であって、（Ａ）と（Ｂ）図は色違いの組を表す図
【図２】図１に示す本実施の形態の一枚のカードの断面図
【図３】本実施の形態のカード玩具の遊び方その１を示すカード平面図
【図４】本実施の形態のカード玩具の遊び方その２を示すカード平面図
【図５】本実施の形態のカード玩具の遊び方その３を示すカード平面図
【図６】本実施の形態のカード玩具の遊び方その４を示すカード平面図
【図７】本実施の形態のカード玩具の遊び方その５を示すカード平面図
【考案を実施するための形態】
【００１３】
以下に、本考案のカード玩具の実施の形態について、図面を用いて説明する。
【００１４】
図１は、本実施の形態のカード玩具の色違いの２組を示す平面図である。カード１の方の組の色は数字が例えば赤色で、地色が白であり、カード２の方の組の色は数字が緑色で、地色が白のカードである。
【００１５】
それぞれの組のカード１，２の数字は双方の組とも、１から１０である。なお、この数字は連続する数字なら任意である。例えば０〜９とかであってもよい。要するにｎ〜ｍ（ｍ＞ｎ自然数）の連続する数字でありさえすればよい。
【００１６】
このようなカード１，２は防水性を有し、水に浮くカードである。したがって、風呂などの中で水に浮かべてカード遊びをしても差し支えない。
【００１７】
さらに、図２に示すように、そのカード１，２の外周囲の少なくとも４隅の縁３は断面視で、中央部４に比べて薄くなっており、指で剥がしやすくなっている。望ましくは全周が薄くなっていることが望ましい。さらには図２に示すように丸い断面形状の方が鋭角な三角形状よりも、指などが切れる心配がないメリットがある。風呂の中などで遊ぶとき、カード１，２がタイルに水で張り付いても、指で簡単に剥がすことが出来る。
【００１８】
次に、このようなカード玩具を用いた遊び方を説明する。
【００１９】
（１）と（２）は小学生３年生〜大人向きであり、（３）は年長〜小学生１年向きであり、（４）は幼児〜大人向きである。小さい頃から親子で取り組むことで、数字に強くなるメリットがある。
【００２０】
（１）テンパズル（異なる数字を４つ使い、四則計算を用いて１０を作る遊び）
１〜９の数字カード１，２から無造作に４枚取り出し、四則計算を駆使して１０にする遊びである。
【００２１】
１〜９の数字から４つを選ぶ選び方は９Ｃ４＝１２６通りあるが、１２６通りとも１０にすることができる。計算方法は、たくさんあるものが多く、並の３〜４年生レベルでほとんどの問題は解ける。しかし、分数を使わなければ解けない超難問もあるので、大人でも難しい問題もある。
【００２２】
例えば、図３に示す例の場合、
｛（９−８）＋１｝×５＝１０
口頭では→９ひく８は１→１たす１は２→２かける５は１０、
となる。
【００２３】
（２）テンパズル応用（異なる数字を４つ使い、四則計算を用いて指定された数を作る遊び）
１〜１０の数字カードから無造作に４枚取り出し、その上（下）にもう１枚数字カードを置き、四則計算を駆使して上（下）に出されたカードの数にする。計算方法は、たくさんあるものが多く、時間さえ気にしなければ普通３〜４年生レベルでだいたいの問題は解ける。
【００２４】
例えば、図４に示すような場合、
４−（１０−７−２）＝３
口頭では→１０ひく７は３→引く２は１→４から引く１は３、
という遊び。
【００２５】
（３）あわせていくつ？  ちがいはいくつ？遊び
１〜１０の数字カードから無造作に２枚取り出し、「あわせていくつ」または、「ちがいはいくつ」を繰り返す。カードがなくなるまでテンポよくカードを入れ替え、カードがなくなるまで続ける。初めのうちは１０枚でやったらよいし、テンポよくできるようになってきたら、全部の２０枚でやることも可能である。
【００２６】
例えば、図５に示すような場合は、
「あわせていくつ？」「８」  「あわせていくつ？」「９」  「あわせていくつ？」「１２」
「ちがいはいくつ？」「４」  「ちがいはいくつ？」「５」  「ちがいはいくつ？」「２」
【００２７】
（４）２０枚全てのカードを使っての単純な「神経衰弱」
図６に示すように、２組のカード全部を用いて２枚開けながら神経衰弱をして遊ぶ。
【００２８】
（５）２０枚全てのカードを使っておこなう「神経衰弱」の変形タイプ
図７に示すように、一度に３枚開くことが出来、そのうち２枚の数字の和が残る１枚の数字になっていれば取れる。ただし、足すことが出来るのは同じ色のカード同士に限り、残る一枚の数字は別の色のカードに限られる。このようなルールでカードを取り合い、制限時間内により多くのカードを取った方が勝ちとなる。
【００２９】
なお、２枚の数字の和を計算したが、逆に差を計算してもよい。
【００３０】
このようにすることで、記憶力が鍛えられるとともに計算もできるようになる。
【００３１】
また、風呂の中で水にカード１，２を浮かべて遊ぶ場合には、水面が揺れるなどして各カード１，２が散乱してしまう恐れがあるので、カードの左右両端縁に磁石機能を付加して互いに並列させて散乱しないようにすることも可能である。
【００３２】
また、その散乱を防ぐ工夫としては、磁石の代わりに、左右両端縁に凹凸条を形成しておき、その凹凸を左右対応させることによって、カード同士の凹凸が互いに嵌め合うことで、散乱防止も可能である。
【００３３】
なお、以上は色違いの２組の数字カードの遊びで説明したが、同じ色の１〜２０の数字の連続カードを用いて遊ぶことも勿論可能である。
【産業上の利用可能性】
【００３４】
本考案のカード玩具は、シンプルな構成であるので子供に向いており、色々な遊びが出来るという効果を発揮し、カード玩具として有用である。
【符号の説明】
【００３５】
１  ある色のカードの組
２  他の色のカードの組
３  カードの外周
４  カードの中央部
【図１】
0003223963.tif 000003
【図２】
0003223963.tif 000004
【図３】
0003223963.tif 000005
【図４】
0003223963.tif 000006
【図５】
0003223963.tif 000007
【図６】
0003223963.tif 000008
【図７】
0003223963.tif 000009